(57)【要約】【課題】サーボモータや揺動モータのような正逆回転するモータ用の出力軸側の転がり軸受においては耐フレッチング性能の更なる向上を図り、エンコーダ側の転がり軸受においては低発塵性の更なる向上を図る。【解決手段】位置検出用のエンコーダを備え、正逆回転するモータに組み込まれる転がり軸受ユニットであって、モータの出力軸を支承する転がり軸受が、合成油及び鉱油から選ばれる少なくとも１種からなり、かつ、４０℃における動粘度が３０〜６０ｍｍ２／ｓｅｃである基油を含有する第１のグリース組成物を封入してなり、かつ、エンコーダを支承する転がり軸受が、合成炭化水素油及びエーテル油から選ばれる少なくとも１種からなり、かつ、４０℃における動粘度が８０〜１２０ｍｍ２／ｓである基油を含有する第２のグリース組成物を封入してなる正逆回転モータ用転がり軸受ユニット。【選択図】図１
2010127344.tif 000002
【特許請求の範囲】
【請求項１】
位置検出用のエンコーダを備え、正逆回転するモータに組み込まれる転がり軸受ユニットであって、
モータの出力軸を支承する転がり軸受が、合成油及び鉱油から選ばれる少なくとも１種からなり、かつ、４０℃における動粘度が３０〜６０ｍｍ２／ｓｅｃである基油を含有する第１のグリース組成物を封入してなり、かつ、
エンコーダを支承する転がり軸受が、合成炭化水素油及びエーテル油から選ばれる少なくとも１種からなり、かつ、４０℃における動粘度が８０〜１２０ｍｍ２／ｓｅｃである基油を含有する第２のグリース組成物を封入してなることを特徴とする正逆回転モータ用転がり軸受ユニット。
【請求項２】
第１のグリース組成物がウレア化合物をグリース全量に対して８〜１４質量％含有し、かつ、第２のグリース組成物がウレア化合物をグリース全量に対して１０〜３０質量％含有することを特徴とする請求項１記載の正逆回転モータ用転がり軸受ユニット。
【請求項３】
第１のグリース組成物及び第２のグリース組成物が、酸化防止剤、防錆剤、金属不活性化剤及び油性剤から選ばれる少なくとも１種を含有することを特徴とする請求項１または２記載の正逆回転モータ用転がり軸受ユニット。
【請求項４】
サーボモータ用であることを特徴とする請求項１〜３の何れか１項に記載の正逆回転モータ用転がり軸受ユニット。
【請求項５】
揺動モータ用であることを特徴とする請求項１〜３の何れか１項に記載の正逆回転モータ用転がり軸受ユニット。
【発明の詳細な説明】
【技術分野】
【０００１】
本発明は、サーボモータや揺動モータのように正逆回転するモータの、出力軸側及びエンコーダ側に使用される転がり軸受ユニットに関する。
【背景技術】
【０００２】
図１に模式的に示すように、サーボモータ１は、一端に位置検出用のエンコーダ１０を備え、他端が出力軸１１となっている。回転軸１１は、正逆、連続回転、高温、高速といった過酷な運転が要求されるため、回転軸１１を支承する出力軸側の転がり軸受１２は、内外輪軌道面と転動体との間でフレッチング摩耗が生じやすく、転動体にセラミック材を用いることが多い（例えば、特許文献１参照）。
【０００３】
一方、エンコーダ１０側の転がり軸受１３は、比較的荷重が低くなるため、フレッチング摩耗による損傷よりも、軸受からの潤滑油やグリース飛散、蒸発等の汚染が問題となり、
従来では転がり軸受１３とエンコーダガラス基板１４との間に油溜りを設ける等の対策が提案されている。また、潤滑には、鉱油やポリα−オレフィン油等の合成炭化水素油等の潤滑油や、前記潤滑油を基油とするグリースを循環させたり、軸受内に封入することが行なわれている(例えば、特許文献２参照)。
【０００４】
【特許文献１】特許第３８１４９２５号公報
【特許文献２】特開２００４−２６９４１号公報
【発明の開示】
【発明が解決しようとする課題】
【０００５】
しかしながら、サーボモータ１の運転はより過酷になることは必至であり、出力軸側の転がり軸受１３には更なる耐フレッチング摩耗性能が求められる。一方で、エンコーダ側の転がり軸受１４についても、油溜りを設ける等の構造上の対策だけでは不十分であり、潤滑油やグリースにはより低発塵性が求められている。
【０００６】
そこで本発明は、サーボモータや揺動モータのような正逆回転するモータ用の出力軸側の転がり軸受においては耐フレッチング性能の更なる向上を図り、エンコーダ側の転がり軸受においては低発塵性の更なる向上を図ることを目的とする。
【課題を解決するための手段】
【０００７】
上記目的を達成するために本発明は、下記を提供する。
（１）位置検出用のエンコーダを備え、正逆回転するモータに組み込まれる転がり軸受ユニットであって、
モータの出力軸を支承する転がり軸受が、合成油及び鉱油から選ばれる少なくとも１種からなり、かつ、４０℃における動粘度が３０〜６０ｍｍ２／ｓｅｃである基油を含有する第１のグリース組成物を封入してなり、かつ、
エンコーダを支承する転がり軸受が、合成炭化水素油及びエーテル油から選ばれる少なくとも１種からなり、かつ、４０℃における動粘度が８０〜１２０ｍｍ２／ｓｅｃである基油を含有する第２のグリース組成物を封入してなることを特徴とする正逆回転モータ用転がり軸受ユニット。
（２）第１のグリース組成物がウレア化合物をグリース全量に対して８〜１４質量％含有し、かつ、第２のグリース組成物がウレア化合物をグリース全量に対して１０〜３０質量％含有することを特徴とする上記（１）記載の正逆回転モータ用転がり軸受ユニット。
（３）第１のグリース組成物及び第２のグリース組成物が、酸化防止剤、防錆剤、金属不活性化剤及び油性剤から選ばれる少なくとも１種を含有することを特徴とする上記（１）または（２）記載の正逆回転モータ用転がり軸受ユニット。
（４）サーボモータ用であることを特徴とする上記（１）〜（３）の何れか１項に記載の正逆回転モータ用転がり軸受ユニット。
（５）揺動モータ用であることを特徴とする上記（１）〜（３）の何れか１項に記載の正逆回転モータ用転がり軸受ユニット。
【発明の効果】
【０００８】
本発明によれば、サーボモータや揺動モータのような正逆回転するモータ用の出力軸側の転がり軸受の耐フレッチング性能、エンコーダ側の転がり軸受の低発塵性をこれまでよりも向上させることができる。
【発明を実施するための最良の形態】
【０００９】
以下、本発明に関して詳細に説明する。
【００１０】
〔出力軸側転がり軸受〕
図１に示すように、出力軸側転がり軸受は、サーボモータや揺動モータの出力軸を支承するための軸受である。軸受自体の構造には制限がなく、内輪と外輪との間に保持器を介して複数の転動体を転動自在に保持し、更に、後述されるグリース組成物を封入して構成される。
【００１１】
（基油）
グリース組成物の基油は、合成油及び鉱油から選ばれる少なくとも１種である。合成油としてはエステル油、エーテル油、合成炭化水素油が挙げられる。特に、広い温度範囲で使用できることから合成炭化水素油を主成分とすることが望ましい。
【００１２】
エステル油としての制限は特にないが、二塩基酸と分岐アルコールとの反応から得られるジエステル油、炭酸エステル油、芳香族系三塩基酸と分岐アルコールとの反応から得られる芳香族エステル油、一塩基酸と多価アルコールとの反応から得られるポリオールエステル油等を好適に挙げることができる。ジエステル油としては、ジオクチルアジペート（ＤＯＡ）、ジイソブチルアジペート（ＤＩＢＡ）、ジブチルアジペート（ＤＢＡ）、ジオクチルアジペート（ＤＯＺ）、ジブチルセバケート（ＤＢＳ）、ジオクチルセバケート（ＤＯＳ）、メチル・アセチルリシノレート（ＭＡＲ-Ｎ）等が挙げられる。炭酸エステル油としては、直鎖または分岐アルキル基の炭素数６〜３０のものが好ましい。芳香族エステル油としては、トリオクチルトリメリテート（ＴＯＴＭ）、トリデシルトリメリテート、テトラオクチルピロメリテート等が挙げられる。ポリオールエステル油としては、以下に示す多価アルコールと一塩基酸とを適宜反応させて得られるものが挙げられる。多価アルコールに反応させる一塩基酸は、単独でも良いし、複数用いても良い。さらに、多価アルコールと二塩基酸・一塩基酸の混合脂肪酸とのオリゴエステルであるコンプレックスエステルとして用いても良い。多価アルコールとしては、トリメチロールプロパン（ＴＭＰ）、ペンタエリスリトール（ＰＥ）、ジペンタエリスリトール（ＤＰＥ）、ネオペンチルグリコール（ＮＰＧ）、２−メチル−２−プロピル−１，３−プロパンジオール（ＭＰＰＤ）等が挙げられる。また、一塩基酸としては、主に炭素数４〜１６の一価脂肪酸が用いられる。具体的には、酪酸、吉草酸、カプロン酸、カプリル酸、エナント酸、ペラルゴン酸、カプリン酸、ウンデカン酸、ラウリン酸、ミステリン酸、パルミチン酸、牛脂脂肪酸、ステアリン酸、カプロレイン酸、パルミトレイン酸、ペトロセリン酸、オレイン酸、エライジン酸、ソルビン酸、リノール酸、リノイン酸、リシノール酸等が挙げられる。
【００１３】
エーテル油としては、例えば（ジ）アルキルジフェニルエーテル油、（ジ）アルキルポリフェニルエーテル油、ポリアルキレングリコール油等が挙げられる。
【００１４】
合成炭化水素油としては、ポリ−α−オレフィン油等が挙げられる。
【００１５】
鉱油としては、パラフィン系鉱油、ナフテン系鉱油を挙げることができる。
【００１６】
基油は、上記の合成由や鉱油をそれぞれ単独で使用してもよく、２種以上を組み合せて使用することもできるが、基油全体としての動粘度が３０〜６０ｍｍ２／ｓｅｃ（４０℃）とする。耐久性を考慮すると、４０〜６０ｍｍ２／ｓｅｃ（４０℃）が好ましい。さらには、正逆回転時のトルク変動を抑えるために、４０〜５５ｍｍ２／ｓｅｃ（４０℃）がより好ましい。
【００１７】
（増ちょう剤）
グリース組成物の増ちょう剤には、音響性及び耐熱性が良好なことからウレア化合物を用いる。好ましくは、一般式（１）で表されるジウレア化合物である。
【００１８】
【化１】
2010127344.tif 000003
【００１９】
尚、式中のＲ１は炭素数６〜２０のアルキル基、またはシクロヘキシル基、炭素数７〜１２のアルキルシクロヘキシル基を示し、Ｒ２は炭素数６〜１５の２価の芳香族環含有炭化水素基を示す。
【００２０】
特に、Ｒ１が以下で表されるモル比において、０．３〜０．９であるジウレア化合物が好ましく、耐久性やグリース漏れを考慮すると０．５〜０．９であるジウレア化合物がより好ましい。
【００２１】
【数１】
2010127344.tif 000004
【００２２】
増ちょう剤の含有量は、グリース全量に対して８〜１４質量％であることが好ましい。８質量％未満であると、十分な増ちょう性が持てなくなり、離油やグリース漏れを発生させてしまう。また、１４質量％を超えると流動性が悪くなり、音響性能やトルク性能に問題が生じる。尚、グリース組成物の混和ちょう度は、２９５以上３２５以下であることが好ましい。
【００２３】
（添加剤）
グリース組成物には、必要に応じて種々の添加剤を添加することができるが、酸化防止剤、防錆剤、金属不活性化剤、油性剤を添加することが好ましい。これらは、それぞれ単独でも、２種以上を組み合わせて使用してもよい。
【００２４】
酸化防止剤としては、例えば、フェニル−１−ナフチルアミン、フェニル−２−ナフチルアミン、ジフェニル−ｐ−フェニレンジアミン、ジピリジルアミン、フェノチアジン、Ｎ−メチルフェノチアジン、Ｎ−エチルフェノチアジン、３，７−ジオクチルフェノチアジン、ｐ，ｐ’−ジオクチルジフェニルアミン、Ｎ，Ｎ’−ジイソプロピル−ｐ−フェニレンジアミン、Ｎ，Ｎ’−ジ−ｓｅｃ−ブチル−ｐ−フェニレンジアミン等のアミン系化合物が挙げられる。また、２，６−ジ−ｔｅｒｔ−ジブチルフェノール等のフェノール系化合物等を使用することもできる。
【００２５】
防錆剤としては、例えば有機スルホン酸アンモニウム塩、スルホン酸金属塩（金属はアルカリ金属、アルカリ土類金属（カルシウム、マグネシウム、バリウム等）、亜鉛等）、カルボン酸塩、フェネート、ホスホネート等が挙げられる。また、アルキルコハク酸エステル、アルケニルコハク酸エステル等のようなアルキルコハク酸誘導体、アルケニルコハク酸誘導体も、防錆剤として好ましく使用できる。さらに、ソルビタンモノオレエート等の多価アルコールの部分エステル、オレオイルザルコシン等のヒドロキシ脂肪酸類、１−メルカプトステアリン酸等のメルカプト脂肪酸類及びその金属塩、ステアリン酸等の高級脂肪酸類、イソステアリルアルコール等の高級アルコール類、高級脂肪酸と高級アルコールとのエステル、チアジアゾール類（２，５−ジメルカプト−１，３，４−チアジアゾール、２−メルカプトチアジアゾール等）、イミダゾール系化合物（２−デシルジチオベンゾイミダゾール、ベンズイミダゾール等）、ジスルフィド系化合物（２，５−ビス（ドデシルジチオ）ベンズイミダゾール等）、リン酸エステル類（トリスノニルフェニルフォスファイト等）、チオカルボン酸エステル系化合物（ジラウリルチオプロピオネート等）も使用可能である。さらに、亜硝酸塩も使用することができる。
【００２６】
金属不活性化剤としては、例えばベンゾトリアゾールやトリルトリアゾール等のトリアゾール系化合物が挙げられる。
【００２７】
油性剤としては、例えば、オレイン酸、ステアリン酸等の脂肪酸や、オレイルアルコール等の脂肪族アルコールや、ポリオキシエチレンステアリン酸エステル、ポリグリセリルオレイン酸エステル等の脂肪酸エステルを使用することができる。また、リン酸、トリクレジルホスフェート、ラウリル酸エステル、ポリオキシエチレンオレイルエーテルリン酸等のリン酸エステル等を使用することができる。
【００２８】
（調製方法）
グリース組成物は、常法に従い、基油に増ちょう剤及び添加剤を所定量配合し、混練機により混練することにより得られる。
【００２９】
〔エンコーダ側転がり軸受〕
図１に示すように、コンコーダ側転がり軸受は、サーボモータや揺動モータのエンコーダを支持するための軸受である。軸受自体の構造には制限がなく、内輪と外輪との間に保持器を介して複数の転動体を転動自在に保持し、更に、後述されるグリース組成物を封入して構成される。
【００３０】
（基油）
グリース組成物の基油は、合成油及び鉱油から選ばれる少なくとも１種であるが、優れた潤滑性能、トルク性能を有することから合成油が好ましく、中でも優れた発塵性能を備える合成炭化水素油及びエーテル油の少なくとも１種を含む潤滑油が好ましい。合成炭化水素油としてはポリαオレフィン油等を、エーテル油としてはジアルキルジフェニルエーテル油、アルキルトリフェニルエーテル油、アルキルテトラフェニルエーテル油等を挙げることができる。特に高温耐久性を考慮すると、アルキルジフェニルエーテルを必須成分（基油成分の５０質量％以上）とする潤滑油が好ましい。また、低温流動性の観点からは、合成炭化水素油が最も好ましい。また、潤滑特性をより向上させるため、必要ならばエステル油を配合しても良い。配合するエステル油としては、ポリオールエステル油、芳香族エステル油が望ましい。このエステル油は、発塵特性を考慮すると、基油成分の５０質量％未満が好ましい。
【００３１】
また、基油は、４０℃における動粘度が８０〜１２０ｍｍ２／ｓであり、９０〜１１０ｍｍ２／ｓｅｃであることが好ましい。これは、８０ｍｍ２／ｓｅｃ（４０℃）未満では高温で蒸発しやすく、１２０ｍｍ２／ｓｅｃ（４０℃）超では発塵量の増加に加え、トルクの増大を起こすためである。
【００３２】
グリース組成物の増ちょう剤には、ウレア化合物を用いる。ウレア化合物としてジウレア、トリウレア、テトラウレア、ポリウレア等を挙げることができる。これらのウレア化合物は、その分子中に金属元素以外の異元素を含んでいてもよく、また金属原子を含まない置換基を有していてもよい。ウレア化合物のグリース中の含有量は、グリース形態を形成し得る量であれば特に制限されるものではなく、１０〜３０質量％の範囲である。ウレア化合物はグリースの高温特性、特に高温での機械的安定性を改善する効果があり、１０質量％未満ではその効果が十分に得られない。一方、３０質量％を越える含有量では発塵量の増大だけでなく、トルクの上昇、潤滑性能の劣化を起こすことがある。また、発塵量を抑制するためには、適切な固さが必要である。このため、グリースの混和ちょう度は１９０〜２３０が好ましい。
【００３３】
（添加剤）
グリース組成物には、必要に応じて種々の添加剤を添加することができるが、酸化防止剤、防錆剤、金属不活性化剤、油性剤を添加することが好ましい。但し、低発陣とするために、硫黄や塩素、リンを含まないものがより好ましい。具体的には、防錆剤としてはコハク酸等のカルボン酸及びその誘導体、ソルビタン等の非イオン界面活性剤、酸化防止剤としてはアミン系、フェノール系酸化防止剤、油性剤としては長鎖脂肪酸系油性剤、金属不活性剤としてはベンゾトリアゾール系金属不活性剤等を用いることができる。
【００３４】
これら添加剤はそれぞれ単独で、もしくは適宜組み合わせて使用される。添加剤の配合量は、それぞれ単体としてグリース全量の０．１質量％以上であり、これ未満では添加剤の効果が現れない。但し、単独使用及び併用する場合も、総量でグリース全量の１質量％以下であることが好ましく、これを越えると発塵量が急増する。
【００３５】
（調製方法）
グリース組成物は、常法に従い、基油に増ちょう剤及び添加剤を所定量配合し、混練機により混練することにより得られる。尚、この混練に際して、グリース組成物には混練機や搬送容器等から金属が混入することがある。また、原料中に不純物として金属元素が含まれる場合もある。しかし、工程中の管理を十分行えばその混入量は極く微量に抑えることができ、本発明の効果を損なうものではない。従って、金属元素のグリース中への混入量は、分析装置の検出限界以下であることが最も望ましいが、３０ｐｐｍ程度の混入量は本発明において許容範囲であると考えられる。但し、Ｌｉ、Ｎａ、Ａｌ、Ｃａ、Ｎｉ、Ｚｎ、Ｍｏ、Ｓｎ、Ｓｂ、Ｂａ、Ｐｂは、本発明の技術分野を考慮すれば５ｐｐｍ以下であることが必要である。また、同様の理由でＣｌ、Ｐ、Ｓは２０ｐｐｍ以下であることが必要である。
【実施例】
【００３６】
以下に実施例及び比較例を挙げて本発明を更に説明するが、本発明はこれにより何ら制限されるものではない。
【００３７】
〔試験１：出力軸側転がり軸受〕
（実施例１、２）
第１容器に合成炭化水素油（ＰＡＯ）の半量と、シクロへキシルアミン及びステアリルアミンとを入れ（アミン比は表１に示す通り）、７０〜８０℃に加温する。第２容器に基油半量とジフェニルメタンジイソシアネートとを入れ、７０〜８０℃に加温し、これを第１容器に加え撹拌した。反応熱のため、反応物の温度は上昇するが、約３０分間この状態で撹拌を続け、反応を十分に行った後、昇温し、１７０〜１８０℃で３０分間保持し、冷却した。その後、酸化防止剤（アルキルジフェニルアミン）を添加し、ロールミルを通すことで試験グリースを得た。
【００３８】
（比較例１）
第１容器にエステル油の半量とシクロへキシルアミンとを入れ、７０〜８０℃に加温する。第２容器に基油半量とジフェニルメタンジイソシアネートとを入れ、７０〜８０℃に加温し、これを第１容器に加え撹拌した。反応熱のため、反応物の温度は上昇するが、約３０分間この状態で撹拌を続け、反応を十分に行った後、昇温し、１７０〜１８０℃で３０分間保持し、冷却した。その後、実施例１と同じ酸化防止剤を同量添加し、ロールミルを通すことで試験グリースを得た。
【００３９】
（比較例２）
ステアリン酸と水酸化リチウムとを基油（エステル油）中で反応させ、リチウム石けんを生成し、室温まで冷却してグリース組成物を調整した。その後、実施例１と同じ酸化防止剤を同量添加し、ロールミルを通すことで試験グリースを得た。
【００４０】
（高温耐久試験）
非接触ゴムシール付深溝玉軸受（内径φ２５ｍｍ、外径φ６２ｍｍ、幅１７ｍｍ）に、実施例１及び比較例１、２の試験グリースを３．４ｇ封入し、内輪回転速度１００００ｍｉｎ−１、外輪軸受温度１４０℃、ラジアル荷重９８Ｎ、アキシアル荷重９８Ｎの条件で連続回転試験を行い、試験軸受の温度が１５０℃に温度上昇したときに焼付き寿命と判断し、試験を停止させた。結果を図２に、比較例１の寿命時間を１とする相対値で示す。
【００４１】
（グリース漏れ試験）
非接触ゴムシール付深溝玉軸受（内径φ１２ｍｍ、外径φ３２ｍｍ、幅１０ｍｍ）に、実施例１及び比較例１、２の試験グリースを０．５５ｇ封入し、内輪回転速度３０００ｍｉｎ−１、雰囲気温度８０℃、アキシアル荷重３９Ｎの条件で３０分間連続回転試験を行い、グリースの漏れ具合を目視で確認した。試験は８回行った。評価基準は下記の通りであり、結果を表２に示す。
○：漏れなし
△：若干にじみあり
×：漏れあり
【００４２】
（トルク試験）
非接触ゴムシール付深溝玉軸受（内径φ１２ｍｍ、外径φ３２ｍｍ、幅１０ｍｍ）に、実施例１及び比較例１、２の試験グリースを０．５５ｇ封入し、内輪回転速度１８００ｍｉｎ−１、雰囲気温度３０℃、アキシアル荷重３９Ｎの条件で連続回転試験を行い、１０分後の動摩擦トルクを測定した。結果を図３に、比較例１のトルクを１とする相対値で示す。
【００４３】
（フレッチング試験）
非接触ゴムシール付深溝玉軸受（内径φ８ｍｍ、外径φ２２ｍｍ、幅７ｍｍ）に、実施例１、２及び比較例１、２の試験グリースを１６０ｍｇ封入した。そして、図４に示す揺動フレッチング試験機２０に軸受を組み込み、雰囲気温度３０℃、アキシアル荷重３９Ｎ、揺動角１°、揺動周波数３０Ｈｚの条件で５００万シーク揺動試験させた。尚、図示される揺動フレッチング試験機２０は、ＡＣサーボモータ２１によってハウジング２２を介して軸受２３の外輪を揺動駆動する構成になっている。試験後、軸受の軸受振動値を測定した。結果を図５に示す。
【００４４】
【表１】
2010127344.tif 000005
【００４５】
【表２】
2010127344.tif 000006
【００４６】
尚、表１には、グリース組成物の組成の他に、上記の各試験結果も併記してある。これら試験結果から、本発明に従う実施例の試験グリースを封入した転がり軸受は、耐フレッチング摩耗性に優れることに加え、高温での耐久性にも優れ、グリース漏れも起さず、低トルクであり、サーボモータや揺動モータの出力軸側転がり軸受に好適であることがわかる。
【００４７】
〔試験２：エンコーダ側転がり軸受〕
（実施例３、比較例３〜５）
表３に示す如く、基油、増ちょう剤及び添加剤（防錆剤；アルケニル琥珀酸誘導体、酸化防止剤；アルキルジフェニルアミン）を配合して試験グリースを調製した。そして、非接触ゴムシール付きの玉軸受に、試験グリースを軸受内空間容積の２５％となるように充填して試験軸受とし、図６に示す評価試験機に組み込んで発塵性を評価した。尚、図中の符号Ａは擬似エンコーダのディスク（ガラス板）であり、符号Ｂは試験軸受である。試験条件は、試験軸受Ｂを１００℃で、回転数３０００ｍｉｎ−１で６５時間連続して回転させた後、ディスクＡへの付着物の有無を観測した。付着量が多量の場合を「×」、極く微量の付着を「△」、付着なしを「○」とした。試験は８回行い、結果を表４に示す。
【００４８】
【表３】
2010127344.tif 000007
【００４９】
【表４】
2010127344.tif 000008
【００５０】
表４に示すように、比較例の試験グリースを封入した試験軸受では、最も少ないものでも、８回中６回の付着があったのに対し、実施例３の試験グリースを封入した試験軸受では８回のうち２回しか付着が無く、しかもその２回とも付着量が極く微量であり、低発塵性に優れることがわかる。
【００５１】
また、実施例３の試験グリースについて、原子吸光分析装置を用いて成分分析を行ったところ、金属元素は検出されなかった。
【図面の簡単な説明】
【００５２】
【図１】サーボモータの一例を示す図である。
【図２】高温耐久性試験の結果を示すグラフである。
【図３】トルク試験の結果を示すグラフである。
【図４】揺動フレッチング試験機の構成を示す図である。
【図５】フレッチング試験の結果を示すグラフである。
【図６】発塵性能の評価に用いた試験装置を示す図である。
【符号の説明】
【００５３】
１  サーボモータ
１０  エンコーダ
１１  出力軸
１２  出力軸側転がり軸受
１３  エンコーダ側転がり軸受
１４  エンコーダガラス基板
【図１】
2010127344.tif 000009
【図２】
2010127344.tif 000010
【図３】
2010127344.tif 000011
【図４】
2010127344.tif 000012
【図５】
2010127344.tif 000013
【図６】
2010127344.tif 000014